(57)【要約】【課題】用紙状態の全てを検出して、出力時の意図したドキュメントの状態を完全に再現することで、生産性を飛躍的に向上させる画像形成装置、画像形成制御プログラムを提供する。【解決手段】画像読取部が原稿を読み取った際に、当該原稿に付されたＲＦＩＤに記録された情報をＲＦＩＤ読取部が読み取り、ＲＦＩＤ読取部が読み取った情報から、ページ番号、片面両面情報、裏表情報、回転情報を取得し、イメージデータと対応付けて記録する。そして、制御部が記録した各種情報に基づいて、裏返しの原稿を補正し、逆さま、横倒し等の原稿の回転処理を行なった上で、イメージデータをページ順通りに画像形成する。【選択図】図１
2008187238.tif 000002
【特許請求の範囲】
【請求項１】
原稿を読み取って画像データを生成する画像読取手段と、
前記画像読取手段が読み取る原稿に付されたＲＦＩＤから該ＲＦＩＤに記録された情報を読み取る情報読取手段と、
前記情報読取手段で読み取った情報から原稿のページ番号を取得するページ番号取得手段と、
前記情報読取手段で読み取った情報から原稿に関する原稿情報を取得する原稿情報取得手段と、
前記画像読取手段で読み取った画像データと、前記ページ番号取得手段で取得したページ番号と、前記原稿情報取得手段で取得した原稿情報とを対応付けて記録する対応情報管理手段と、
前記対応情報管理手段に記録されているページ番号および原稿情報に基づき、前記画像データの画像形成を行う画像形成手段と
を具備することを特徴とする画像形成装置。
【請求項２】
前記画像読取手段は、
前記原稿の表面と裏面とを読み取ってそれぞれの画像データを生成する両面読取手段
を具備し、
前記原稿情報取得手段は、
前記情報読取手段で読み取った情報から原稿が片面印刷であるか両面印刷であるかを示す片面両面情報を取得し、
前記情報読取手段で読み取った情報から現状の原稿の読み取り面が表面であるか裏面であるかを示す裏表情報を取得し、
前記画像読取手段で読み取った原稿における前記片面両面情報が片面印刷であり、かつ前記裏表情報が裏面である場合、
前記対応情報管理手段は、
前記画像データと、前記ページ番号と、前記片面印刷を示す片面両面情報と、前記裏面を示す裏表情報との記録を行わず、
前記画像読取手段は、
前記両面読取手段で前記原稿を反転させて、該原稿の表面を読み取って画像データを生成し、
前記対応情報管理手段は、
前記表面の画像データと、前記ページ番号と、前記片面印刷を示す片面両面情報と、前記表面を示す裏表情報とを対応付けて記録する
ことを特徴とする請求項１記載の画像形成装置。
【請求項３】
前記画像読取手段で読み取った原稿における前記片面両面情報が両面印刷である場合、
前記対応情報管理手段は、
前記原稿の表面の画像データと、前記ページ番号と、前記両面印刷を示す片面両面情報と、前記表面を示す裏表情報とを対応付けて記録し、
前記原稿の裏面の画像データと、前記ページ番号と、前記両面印刷を示す片面両面情報と、前記裏面を示す裏表情報とを対応付けて記録する
ことを特徴とする請求項２記載の画像形成装置。
【請求項４】
前記原稿情報取得手段は、
前記情報読取手段で読み取った情報から原稿が天方向に対してどの程度回転しているかを示す回転情報を取得し、
前記対応情報管理手段は、
前記画像データと、前記ページ番号と、前記原稿が天方向に対して回転する角度を示す回転情報とを対応付けて記録する
ことを特徴とする請求項１記載の画像形成装置。
【請求項５】
原稿を読み取って画像データを生成する画像読取手段と、該画像読取手段が読み取る原稿に付されたＲＦＩＤから該ＲＦＩＤに記録された情報を読み取る情報読取手段と、該画像読取手段が読み取った画像データの画像形成を行う画像形成装置に、
前記情報読取手段で読み取った情報から原稿のページ番号を取得するページ番号取得処理と、
前記情報読取手段で読み取った情報から原稿に関する原稿情報を取得する原稿情報取得処理と、
前記画像読取手段で読み取った画像データと、前記ページ番号取得処理で取得したページ番号と、前記原稿情報取得処理で取得した原稿情報とを対応付けて記録する対応情報管理処理と、
前記記録されているページ番号および原稿情報に基づいた前記画像データの画像形成を前記画像形成手段に対して行わせる画像形成制御処理と
を実行させることを特徴とする画像形成プログラム。
【請求項６】
前記画像読取手段は、
前記原稿の表面と裏面とを読み取ってそれぞれの画像データを生成する両面読取手段
を具備し、
前記原稿情報取得処理は、
前記情報読取手段で読み取った情報から原稿が片面印刷であるか両面印刷であるかを示す片面両面情報を取得し、
前記情報読取手段で読み取った情報から現状の原稿の読み取り面が表面であるか裏面であるかを示す裏表情報を取得し、
前記画像読取手段で読み取った原稿における前記片面両面情報が片面印刷であり、かつ前記裏表情報が裏面である場合、
前記対応情報管理処理は、
前記画像データと、前記ページ番号と、前記片面印刷を示す片面両面情報と、前記裏面を示す裏表情報との記録を行わず、
前記両面読取手段で前記原稿を反転させて、該原稿の表面を読み取って生成した表面の画像データと、前記ページ番号と、前記片面印刷を示す片面両面情報と、前記表面を示す裏表情報とを対応付けて記録する
ことを特徴とする請求項５記載の画像形成プログラム。
【請求項７】
前記画像読取手段で読み取った原稿における前記片面両面情報が両面印刷である場合、
前記対応情報管理処理は、
前記原稿の表面の画像データと、前記ページ番号と、前記両面印刷を示す片面両面情報と、前記表面を示す裏表情報とを対応付けて記録し、
前記原稿の裏面の画像データと、前記ページ番号と、前記両面印刷を示す片面両面情報と、前記裏面を示す裏表情報とを対応付けて記録する
ことを特徴とする請求項６記載の画像形成プログラム。
【請求項８】
前記原稿情報取得処理は、
前記情報読取手段で読み取った情報から原稿が天方向に対してどの程度回転しているかを示す回転情報を取得し、
前記対応情報管理処理は、
前記画像データと、前記ページ番号と、前記原稿が天方向に対して回転する角度を示す回転情報とを対応付けて記録する
ことを特徴とする請求項５記載の画像形成プログラム。
【発明の詳細な説明】
【技術分野】
【０００１】
本発明は、画像形成装置、画像形成制御プログラムに関する。
【背景技術】
【０００２】
多量の原稿を複写する場合、原稿の抜けや、原稿のページ順序間違いによる手戻りの発生を防止して、生産性を向上させる技術が注目されている。
【０００３】
原稿に記載された内容に基づいて原稿の回転を検出して回転を補正する技術が開示され、原稿に記載された内容に基づいて白紙状態を検出して用紙の表裏を判別する技術が開示されている。
【０００４】
そして、ＲＦＩＤ ［Radio Frequency Identification］を利用した技術として、例えば、ＲＦＩＤに用紙のページ番号の情報を書き込み、当該ページ番号の情報に基づいて原稿の抜けや順序違い等の異常を検知する画像形成装置およびその制御方法がある（例えば、特許文献１参照。）。
【特許文献１】特開２００６−２５４０５８号公報
【発明の開示】
【発明が解決しようとする課題】
【０００５】
本発明は、用紙状態の全てを検出して、出力時の意図したドキュメントの状態を完全に再現することで、生産性を飛躍的に向上させる画像形成装置、画像形成制御プログラムを提供することを目的とする。
【課題を解決するための手段】
【０００６】
上記目的を達成するため、請求項１の発明は、原稿を読み取って画像データを生成する画像読取手段と、前記画像読取手段が読み取る原稿に付されたＲＦＩＤから該ＲＦＩＤに記録された情報を読み取る情報読取手段と、前記情報読取手段で読み取った情報から原稿のページ番号を取得するページ番号取得手段と、前記情報読取手段で読み取った情報から原稿に関する原稿情報を取得する原稿情報取得手段と、前記画像読取手段で読み取った画像データと、前記ページ番号取得手段で取得したページ番号と、前記原稿情報取得手段で取得した原稿情報とを対応付けて記録する対応情報管理手段と、前記対応情報管理手段に記録されているページ番号および原稿情報に基づき、前記画像データの画像形成を行う画像形成手段とを具備することを特徴とする。
【０００７】
また、請求項２の発明は、請求項１の発明において、前記画像読取手段は、前記原稿の表面と裏面とを読み取ってそれぞれの画像データを生成する両面読取手段を具備し、前記原稿情報取得手段は、前記情報読取手段で読み取った情報から原稿が片面印刷であるか両面印刷であるかを示す片面両面情報を取得し、前記情報読取手段で読み取った情報から現状の原稿の読み取り面が表面であるか裏面であるかを示す裏表情報を取得し、前記画像読取手段で読み取った原稿における前記片面両面情報が片面印刷であり、かつ前記裏表情報が裏面である場合、前記対応情報管理手段は、前記画像データと、前記ページ番号と、前記片面印刷を示す片面両面情報と、前記裏面を示す裏表情報との記録を行わず、前記画像読取手段は、前記両面読取手段で前記原稿を反転させて、該原稿の表面を読み取って画像データを生成し、前記対応情報管理手段は、前記表面の画像データと、前記ページ番号と、前記片面印刷を示す片面両面情報と、前記表面を示す裏表情報とを対応付けて記録することを特徴とする。
【０００８】
また、請求項３の発明は、請求項２の発明において、前記画像読取手段で読み取った原稿における前記片面両面情報が両面印刷である場合、前記対応情報管理手段は、前記原稿の表面の画像データと、前記ページ番号と、前記両面印刷を示す片面両面情報と、前記表面を示す裏表情報とを対応付けて記録し、前記原稿の裏面の画像データと、前記ページ番号と、前記両面印刷を示す片面両面情報と、前記裏面を示す裏表情報とを対応付けて記録することを特徴とする。
【０００９】
また、請求項４の発明は、請求項１の発明において、前記原稿情報取得手段は、前記情報読取手段で読み取った情報から原稿が天方向に対してどの程度回転しているかを示す回転情報を取得し、前記対応情報管理手段は、前記画像データと、前記ページ番号と、前記原稿が天方向に対して回転する角度を示す回転情報とを対応付けて記録することを特徴とする。
【００１０】
また、請求項５の発明は、原稿を読み取って画像データを生成する画像読取手段と、該画像読取手段が読み取る原稿に付されたＲＦＩＤから該ＲＦＩＤに記録された情報を読み取る情報読取手段と、該画像読取手段が読み取った画像データの画像形成を行う画像形成装置に、前記情報読取手段で読み取った情報から原稿のページ番号を取得するページ番号取得処理と、前記情報読取手段で読み取った情報から原稿に関する原稿情報を取得する原稿情報取得処理と、前記画像読取手段で読み取った画像データと、前記ページ番号取得処理で取得したページ番号と、前記原稿情報取得処理で取得した原稿情報とを対応付けて記録する対応情報管理処理と、前記記録されているページ番号および原稿情報に基づいた前記画像データの画像形成を前記画像形成手段に対して行わせる画像形成制御処理とを実行させることを特徴とする。
【００１１】
また、請求項６の発明は、請求項５の発明において、前記画像読取手段は、前記原稿の表面と裏面とを読み取ってそれぞれの画像データを生成する両面読取手段を具備し、前記原稿情報取得処理は、前記情報読取手段で読み取った情報から原稿が片面印刷であるか両面印刷であるかを示す片面両面情報を取得し、前記情報読取手段で読み取った情報から現状の原稿の読み取り面が表面であるか裏面であるかを示す裏表情報を取得し、前記画像読取手段で読み取った原稿における前記片面両面情報が片面印刷であり、かつ前記裏表情報が裏面である場合、前記対応情報管理処理は、前記画像データと、前記ページ番号と、前記片面印刷を示す片面両面情報と、前記裏面を示す裏表情報との記録を行わず、前記両面読取手段で前記原稿を反転させて、該原稿の表面を読み取って生成した表面の画像データと、前記ページ番号と、前記片面印刷を示す片面両面情報と、前記表面を示す裏表情報とを対応付けて記録することを特徴とする。
【００１２】
また、請求項７の発明は、請求項６の発明において、前記画像読取手段で読み取った原稿における前記片面両面情報が両面印刷である場合、前記対応情報管理処理は、前記原稿の表面の画像データと、前記ページ番号と、前記両面印刷を示す片面両面情報と、前記表面を示す裏表情報とを対応付けて記録し、前記原稿の裏面の画像データと、前記ページ番号と、前記両面印刷を示す片面両面情報と、前記裏面を示す裏表情報とを対応付けて記録することを特徴とする。
【００１３】
また、請求項８の発明は、請求項５の発明において、前記原稿情報取得処理は、前記情報読取手段で読み取った情報から原稿が天方向に対してどの程度回転しているかを示す回転情報を取得し、前記対応情報管理処理は、前記画像データと、前記ページ番号と、前記原稿が天方向に対して回転する角度を示す回転情報とを対応付けて記録することを特徴とする。
【発明の効果】
【００１４】
請求項１および５に記載の発明は、本構成を有しない場合に比較して、バラバラの原稿の束の印刷結果を自動で出力時の意図した状態に再現することが可能となる。
【００１５】
また、請求項２および６に記載の発明は、本構成を有しない場合に比較して、裏返しでセットされた原稿の表面を確実に印刷することが可能となる。
【００１６】
また、請求項３および７に記載の発明は、本構成を有しない場合に比較して、両面印刷の原稿を確実に印刷することが可能となる。
【００１７】
また、請求項４および８に記載の発明は、本構成を有しない場合に比較して、逆さままたは横倒しでセットされた原稿を確実に印刷することが可能となる。
【発明を実施するための最良の形態】
【００１８】
以下、本発明に係る画像形成装置、画像形成制御プログラムの実施の形態について添付図面を参照して詳細に説明する。
【００１９】
図１は、本発明に係る画像形成装置１の機能的な概略構成を示した図である。
【００２０】
図１に示すように、画像形成装置１は、画像読取部２と、制御部３、画像形成部４、ＵＩ部５を具備して構成される。なお、画像形成装置１は、プリンタやファクシミリとして動作することも可能であり、これらの動作を行うための構成も有している（一般的な構成であるため、ここでは省略している）。
【００２１】
画像読取部２は、図示しない撮像素子等により原稿を読み取って画像データを生成するものであり、他にＲＦＩＤ読取部６、反対面読取機構７を備えている。
【００２２】
ＲＦＩＤ読取部６は、原稿に付されたＲＦＩＤから、当該ＲＦＩＤに記録されている情報を読み取るものである。
【００２３】
反対面読取機構７は、両面印刷を行う場合に現在の読取面の反対面を読み取るための動作を行うものである。
【００２４】
制御部３は、画像形成装置１の全体を制御するもので、各部を制御する構成（不図示）に加えて、ページ情報取得部８、対応情報管理部９、画像メモリ１０、ソート処理部１１、片面両面情報取得部１２、裏表情報取得部１３、回転情報取得部１４、画像回転処理部１５を備えている。
【００２５】
ページ情報取得部８は、画像読取部２が読み取ったページの数や、ＲＦＩＤ読取部６が読み取った原稿のページ番号等を取得する。
【００２６】
対応情報管理部９は、ＲＦＩＤ読取部６が読み取ったページ番号と、画像読取部２が生成した画像データとの対応を管理する。
【００２７】
画像メモリ１０は、画像読取部２が生成した画像データを記憶する。
【００２８】
ソート処理部１１は、画像メモリ１０に記憶されている画像データを出力する際に、必要に応じてソート処理を実行する。
【００２９】
片面両面情報取得部１２は、ＲＦＩＤ読取部６が読み取ったその用紙が片面印刷であるか両面印刷であるかの情報（以後、片面両面情報と称する）を取得する。
【００３０】
裏表情報取得部１３は、ＲＦＩＤ読取部６が読み取った印刷時に表面だったのか裏面だったのかの情報（以後、裏表情報と称する）を取得する。なお、裏表情報取得部１３が取得した裏表情報は対応情報管理部９に記録される。
【００３１】
回転情報取得部１４は、現在の読取画像が天方向と仮定している向きに対して、どの程度回転しているか（例えば、０°／９０°／１８０°／２７０°）の情報（以後、回転情報と称する）を取得する。なお、回転情報取得部１４が取得した回転情報は対応情報管理部９に記録される。
【００３２】
画像回転処理部１５は、画像データの回転処理を行う。
【００３３】
画像形成部４は、画像データに基づいて用紙上に画像を形成するものである。なお、本発明の必須構成ではないが、画像を形成した用紙に付されたＲＦＩＤにページ番号の情報、片面印刷／両面印刷の情報、ポートレート印刷／ランドスケープ印刷の情報、ＲＦＩＤが埋め込まれている位置の情報等を記録するＲＦＩＤ記録部を備えても良い。
【００３４】
ＵＩ部５は、画像形成装置１のユーザインタフェイスであり、タッチパネル等によって構成される。
【００３５】
なお、上述したページ情報取得部８、対応情報管理部９、ソート処理部１１、片面両面情報取得部１２、裏表情報取得部１３、回転情報取得部１４、画像回転処理部１５を機能として具備するプログラム（本発明に係る画像形成制御プログラムに相当）を画像形成装置に組み込んだ構成を適用することも可能であり、その際には、画像形成装置の記憶領域（例えば、ＨＤ等）に画像形成制御プログラムが記憶され、画像形成装置の演算部（例えば、画像形成装置のＣＰＵ等）が記憶領域に記憶されている画像形成制御プログラムを実行することになる。
【００３６】
次に、画像形成装置１による複写処理について説明する。ここでは、画像形成装置１は、原稿の全ページを読み取って蓄積した後に、複写、すなわち、印刷処理を行う設定で動作するものとする。また、画像形成装置１は、原稿の読み込み前には、利用者に自動ソートモードの指定をさせない設定で動作するものとする。自動ソートモードとは、原稿の読み取り順がページ順となっていなかった場合に、印刷出力がページ順となるように自動でソートを行うモードである。
【００３７】
図２乃至８は、画像形成装置の複写処理の流れを示すフローチャートである。なお、以下に説明する処理は、画像形成装置の制御部による処理である。
【００３８】
画像形成装置が複写処理を開始すると、制御部は、まず、自動ソートモードをＯＦＦに設定し（図２のＳ２０１）、続いて、入力ページカウンタｎの値を１に初期化し（Ｓ２０２）、画像メモリ領域番号Ｘの値を１に初期化する（Ｓ２０３）。
【００３９】
次に、制御部は、読み込む原稿に次ページがあれば、画像読取部に原稿の読み取りを行わせるが、最初の処理では、当然のことながら読み込むべき原稿が存在するため（Ｓ２０４でＹＥＳ）、画像読取部に原稿の読み取りを行わせ、その際にＲＦＩＤ読取部が原稿に付されたＲＦＩＤから読み取った原稿のページ番号を、ページ番号ｍとして取得する（Ｓ２０５）。
【００４０】
続いて、制御部は、ページ番号ｍの値と入力ページカウンタｎの値を比較する。比較の結果、両者が一致すれば（Ｓ２０６でＹＥＳ）、読み取った原稿の順とページ番号が一致すると判断できるため、制御部の片面両面情報取得部は、ＲＦＩＤ読取部が原稿に付されたＦＲＩＤから読み取った片面両面情報を取得し（Ｓ２０７）、取得した片面両面情報が片面印刷であれば（Ｓ２０８でＹＥＳ）、制御部の裏表情報取得部は、ＲＦＩＤ読取部が原稿に付されたＦＲＩＤから読み取った裏表情報を取得し（Ｓ２０９）、取得した裏表情報が表面であれば（Ｓ２１０でＹＥＳ）、制御部の回転情報取得部は、ＲＦＩＤ読取部が原稿に付されたＦＲＩＤから読み取った回転情報を取得し（Ｓ２１１）、取得した回転情報が０°であり、画像回転処理が不要であれば（Ｓ２１２でＹＥＳ）、制御部は、画像読取部が読み取ったページイメージを画像メモリの領域Ｘに格納し（Ｓ２１３）、領域Ｘとページ番号ｍの対応を対応情報管理部に記録する（Ｓ２１４）。対応情報管理部に記録される領域Ｘとページ番号ｍの対応は、例えば、図９および図１０に示すようなものとなる。
【００４１】
続いて、制御部は、画像メモリの領域を示すＸの値を１だけインクリメントし（Ｓ２１５）、入力ページカウンタｎの値を１だけインクリメントし（Ｓ２１６）、これらの処理は、読み取るべき原稿がある間、繰り返して行われる（ステップ２０４でＹＥＳ）。
【００４２】
一方、片面両面情報が両面印刷である場合（Ｓ２０８でＮＯ）、制御部の裏表情報取得部は、ＲＦＩＤ読取部が原稿に付されたＦＲＩＤから読み取った裏表情報を取得し（Ｓ２１７）、取得した裏表情報が表面であれば（Ｓ２１８でＹＥＳ）、制御部の回転情報取得部は、ＲＦＩＤ読取部が原稿に付されたＦＲＩＤから読み取った回転情報を取得し（Ｓ２１９）、取得した回転情報が０°であり、画像回転処理が不要であれば（Ｓ２２０でＹＥＳ）、制御部は、画像読取部が読み取ったページイメージを画像メモリの領域Ｘに格納し（Ｓ２２１）、領域Ｘとページ番号ｍの対応を対応情報管理部に記録する（Ｓ２２２）。対応情報管理部に記録される領域Ｘとページ番号ｍの対応は、例えば、図９および図１０に示すようなものとなる。
【００４３】
続いて、制御部は、画像メモリの領域を示すＸの値を１だけインクリメントし（Ｓ２２３）、制御部は、反対面読取機構を作動させて現在の読取面の反対面を読み取り、即ち表面を反転させて裏面を読み取り（Ｓ２２４）、制御部は、裏表情報を反転し、即ち表面から裏面に変更し（Ｓ２２５）、制御部は、画像読取部が読み取った裏面のページイメージを画像メモリの領域Ｘに格納し（Ｓ２１３）、領域Ｘとページ番号ｍの対応を対応情報管理部に記録する（Ｓ２１４）。対応情報管理部に記録される領域Ｘとページ番号ｍの対応は、例えば、図９および図１０に示すようなものとなる。
【００４４】
続いて、制御部は、画像メモリの領域を示すＸの値を１だけインクリメントし（Ｓ２１５）、入力ページカウンタｎの値を１だけインクリメントし（Ｓ２１６）、これらの処理は、読み取るべき原稿がある間、繰り返して行われる（Ｓ２０４でＹＥＳ）。
【００４５】
そして、これらの処理の過程でページ番号ｍの値と入力ページカウンタｎの値が不一致となることがないまま、全ての原稿の読み取りを終了すると（Ｓ２０４でＮＯ）、画像形成装置は、蓄積した画像データ（ページイメージ）の出力処理に移る。
【００４６】
画像データの出力処理では、制御部は、まず、出力ページカウンタＮの値を１に初期化する（図４のＳ２２６）。続いて、制御部は、画像メモリの領域Ｎからページイメージを読み出して画像形成部へ出力する（Ｓ２２７）。そして、画像メモリに領域（Ｎ＋１）が存在すれば（Ｓ２２８でＹＥＳ）、出力ページカウンタＮの値を１だけインクリメントして（Ｓ２２９）、同様の処理を繰り返す。これらの処理は、画像メモリに格納されているページイメージを、その領域１から順に読み出して画像形成部へ出力するものである。そして、全てのページイメージを読み出したら、つまり、画像メモリに領域（Ｎ＋１）が存在しなければ（Ｓ２２８でＮＯ）、画像形成装置は、複写処理を終了する。
【００４７】
一方、画像形成装置が原稿の読み取りを行っている過程で、原稿のページ抜け若しくは原稿のページ順違い等により、ページ番号ｍの値と入力ページカウンタｎの値が不一致となった場合（Ｓ２０６でＮＯ）、取得した裏表情報が裏面である場合（Ｓ２１０でＮＯまたはＳ２１８でＮＯ）、画像回転処理が必要である場合（Ｓ２１２でＮＯまたはＳ２２０でＮＯ）、制御部は、ＵＩ部に警告とその後の処理の選択肢を表示する（図３のＳ２３０）。その後の処理の選択肢としては、「自動ソートモードをＯＮにして処理を継続」、「自動モードをＯＦＦのまま処理を継続」、「処理の中断」がある。
【００４８】
利用者がＵＩ部に表示された選択肢から「自動ソートモードをＯＮにして処理を継続」を選択すると（Ｓ２３１でＹＥＳ、Ｓ２３２でＹＥＳ）、制御部は、最後に実行したＳ２０５で取得したページ番号ｍの値を、最大ページ番号Ｍに代入する（図５のＳ２３３）。
【００４９】
次に、制御部は、読み込むべき原稿があれば（Ｓ２３４でＹＥＳ）、画像読取部に原稿の読み取りを行わせ、その際にＲＦＩＤ読取部が原稿に付されたＲＦＩＤから読み取った原稿のページ番号を、ページ番号ｍとして取得する（Ｓ２３５）。そして、取得したページ番号ｍの値と最大ページ番号Ｍの値を比較し、ページ番号ｍの値の方が大きければ（Ｓ２３６でＹＥＳ）、そのページ番号ｍの値を最大ページ番号Ｍに代入し（Ｓ２３７）、それ以外であれば、最大ページ番号Ｍの値をそのまま保持する。
【００５０】
続いて、制御部の片面両面情報取得部は、ＲＦＩＤ読取部が原稿に付されたＦＲＩＤから読み取った片面両面情報を取得し（Ｓ２３８）、取得した片面両面情報が片面印刷であれば（Ｓ２３９でＹＥＳ）、制御部の裏表情報取得部は、ＲＦＩＤ読取部が原稿に付されたＦＲＩＤから読み取った裏表情報を取得する（Ｓ２４０）。なお、裏表情報が裏面の場合、制御部は、反対面読取機構を作動させて現在の読取面の反対面を読み取り、即ち裏面を反転させて表面を読み取り、改めて裏表情報（即ち、表面）を取得する。
【００５１】
続いて、制御部の回転情報取得部は、ＲＦＩＤ読取部が原稿に付されたＦＲＩＤから読み取った回転情報を取得し（Ｓ２４１）、対応情報管理部の領域Ｘとページ番号ｍとに対応する「裏表」欄にＳ２４０で取得した裏表情報を記録し（Ｓ２４２）、対応情報管理部の領域Ｘとページ番号ｍとに対応する「回転」欄にＳ２４１で取得した回転情報を記録する（Ｓ２４３）。対応情報管理部に記録される領域Ｘとページ番号ｍと裏表情報と回転情報との対応は、例えば、図９および図１０に示すようなものとなる。
【００５２】
続いて、制御部は、画像読取部が読み取ったページイメージを画像メモリの領域Ｘに格納し（Ｓ２４４）、領域Ｘとページ番号ｍの対応を対応情報管理部に記録して（Ｓ２４５）、画像メモリの領域を示すＸの値を１だけインクリメントし（Ｓ２４６）、入力ページカウンタｎの値を１だけインクリメントし（Ｓ２４７）、これらの処理は、読み取るべき原稿がある間、繰り返して行われる（Ｓ２３４でＹＥＳ）。
【００５３】
一方、片面両面情報が両面印刷である場合（Ｓ２３９でＮＯ）、制御部の裏表情報取得部は、ＲＦＩＤ読取部が原稿に付されたＦＲＩＤから読み取った裏表情報を取得し（Ｓ２４８）、制御部の回転情報取得部は、ＲＦＩＤ読取部が原稿に付されたＦＲＩＤから読み取った回転情報を取得し（Ｓ２４９）、対応情報管理部の領域Ｘとページ番号ｍとに対応する「裏表」欄にＳ２４８で取得した裏表情報を記録し（Ｓ２５０）、対応情報管理部の領域Ｘとページ番号ｍとに対応する「回転」欄にＳ２４９で取得した回転情報を記録する（Ｓ２５１）。対応情報管理部に記録される領域Ｘとページ番号ｍと裏表情報と回転情報との対応は、例えば、図９および図１０に示すようなものとなる。
【００５４】
続いて、制御部は、画像読取部が読み取ったページイメージを画像メモリの領域Ｘに格納し（Ｓ２５２）、領域Ｘとページ番号ｍの対応を対応情報管理部に記録して（Ｓ２５３）、画像メモリの領域を示すＸの値を１だけインクリメントし（Ｓ２５４）、制御部は、反対面読取機構を作動させて現在の読取面の反対面（即ち、表面を反転させて裏面を読み取る状態にする、または裏面を反転させて表面を読み取る状態にする）を読み取り（Ｓ２５５）、制御部は、裏表情報を反転（即ち、表面から裏面または裏面から表面に変更）する（Ｓ２５６）。
【００５５】
続いて、対応情報管理部の領域Ｘとページ番号ｍとに対応する「裏表」欄にＳ２５６で反転した裏表情報を記録し（Ｓ２４２）、対応情報管理部の領域Ｘとページ番号ｍとに対応する「回転」欄にＳ２４９で取得した回転情報を記録する（Ｓ２４３）。対応情報管理部に記録される領域Ｘとページ番号ｍと裏表情報と回転情報との対応は、例えば、図９および図１０に示すようなものとなる。
【００５６】
続いて、制御部は、画像読取部が読み取ったページイメージを画像メモリの領域Ｘに格納し（Ｓ２４４）、領域Ｘとページ番号ｍの対応を対応情報管理部に記録して（Ｓ２４５）、画像メモリの領域を示すＸの値を１だけインクリメントし（Ｓ２４６）、入力ページカウンタｎの値を１だけインクリメントし（Ｓ２４７）、これらの処理は、読み取るべき原稿がある間、繰り返して行われる（Ｓ２３４でＹＥＳ）。
【００５７】
そして、全ての原稿の読み取りを終了すると（Ｓ２３４でＮＯ）、画像形成装置は、蓄積した画像データ（ページイメージ）の出力処理に移る。
【００５８】
画像データの出力処理では、制御部は、まず、最大ページ番号Ｍの値と入力ページカウンタｎの値を比較する。その結果、最大ページ番号Ｍの値の方が大きければ（図６のステップ２５７でＹＥＳ）、制御部は、ＵＩ部に警告とその後の処理の選択肢を表示する（ステップ２５８）。最大ページ番号Ｍの値の方が大きい場合、原稿に（Ｍ−ｎ）に相当するページ数の抜けがあることが疑われるため、警告では、この旨を表示し、その後の処理の選択肢としては、「処理の継続」、「処理の中断」を提示する。
【００５９】
利用者により「処理の継続」が指示されるか（ステップ２５９でＹＥＳ）、最大ページ番号Ｍの値と入力ページカウンタｎの値が一致した場合には（ステップ２５７でＮＯ）、制御部は、出力ページカウンタＮの値を１に初期化する（ステップ２６０）。
【００６０】
続いて、制御部は、対応情報管理部に記録した領域Ｘとページ番号ｍの対応に、出力ページカウンタＮに対応する情報、つまり、ページ番号Ｎが記録されていれば（ステップ２６１でＹＥＳ）、対応する領域Ｘを特定し（ステップ２６２）、画像メモリの領域Ｘからページイメージを読み出して画像形成部へ出力する（ステップ２６３）。
【００６１】
そして、画像メモリに未処理、つまり、ページイメージを読み出していない領域があれば（ステップ２６４でＹＥＳ）、出力ページカウンタＮの値を１だけインクリメントして（ステップ２６５）、同様の処理を繰り返し、画像メモリの全ての領域からページイメージを読み出すと（ステップ２６４でＮＯ）、画像形成装置は、複写処理を終了する。
【００６２】
ここで、ステップ２６２における領域Ｘの特定処理について補足する。図９は、領域Ｘとページ番号ｍの対応を示したもので、（ａ）では領域１にページ番号１のページイメージが記録され、（ｂ）では領域２にページ番号５のページイメージが記録され、（ｃ）では領域３にページ番号３のページイメージが記録されている。従って、画像メモリの領域番号とページ番号が不一致となるため、領域の順にページイメージを読み出すことでは、ページ順での出力が不可能となる。このため、制御部は、出力ページカウンタＮの値を用いて、Ｎと一致するページ番号を領域Ｘとページ番号ｍの対応から検索し、検索されたページ番号に対応する領域からページイメージを読み出すようにしている。
【００６３】
また、図４のＳ２３０の処理でＵＩ部に警告とその後の処理の選択肢を表示した際に、利用者が「自動モードをＯＦＦのまま処理を継続」を選択した場合には（Ｓ２３１でＹＥＳ、ステップ２３２でＮＯ）、制御部は、最後に実行したＳ２０５で取得したページ番号ｍの値を、最大ページ番号Ｍに代入する（図７のＳ２６６）。
【００６４】
続いて、制御部は、読み込むべき原稿があれば（Ｓ２６７でＹＥＳ）、画像読取部に原稿の読み取りを行わせ、その際にＲＦＩＤ読取部が原稿に付されたＲＦＩＤから読み取った原稿のページ番号を、ページ番号ｍとして取得する（Ｓ２６８）。そして、取得したページ番号ｍの値と最大ページ番号Ｍの値を比較し、ページ番号ｍの値の方が大きければ（Ｓ２６９でＹＥＳ）、そのページ番号ｍの値を最大ページ番号Ｍに代入し（Ｓ２７０）、それ以外であれば、最大ページ番号Ｍの値をそのまま保持する。
【００６５】
続いて、制御部の片面両面情報取得部は、ＲＦＩＤ読取部が原稿に付されたＦＲＩＤから読み取った片面両面情報を取得し（Ｓ２７１）、取得した片面両面情報が片面印刷であれば（Ｓ２７２でＹＥＳ）、制御部の裏表情報取得部は、ＲＦＩＤ読取部が原稿に付されたＦＲＩＤから読み取った裏表情報を取得する（Ｓ２７３）。なお、裏表情報が裏面の場合、制御部は、反対面読取機構を作動させて現在の読取面の反対面を読み取り、即ち裏面を反転させて表面を読み取り、改めて裏表情報（即ち、表面）を取得する。
【００６６】
続いて、制御部の回転情報取得部は、ＲＦＩＤ読取部が原稿に付されたＦＲＩＤから読み取った回転情報を取得し（Ｓ２７４）、対応情報管理部の領域Ｘとページ番号ｍとに対応する「裏表」欄にＳ２７３で取得した裏表情報を記録し（Ｓ２７５）、対応情報管理部の領域Ｘとページ番号ｍとに対応する「回転」欄にＳ２７４で取得した回転情報を記録する（Ｓ２７６）。対応情報管理部に記録される領域Ｘとページ番号ｍと裏表情報と回転情報との対応は、例えば、図９および図１０に示すようなものとなる。
【００６７】
続いて、制御部は、画像読取部が読み取ったページイメージを画像メモリの領域Ｘに格納し（Ｓ２７７）、画像メモリの領域を示すＸの値を１だけインクリメントし（Ｓ２７８）、入力ページカウンタｎの値を１だけインクリメントし（Ｓ２７９）、これらの処理は、読み取るべき原稿がある間、繰り返して行われる（Ｓ２６７でＹＥＳ）。
【００６８】
一方、片面両面情報が両面印刷である場合（Ｓ２７２でＮＯ）、制御部の裏表情報取得部は、ＲＦＩＤ読取部が原稿に付されたＦＲＩＤから読み取った裏表情報を取得し（Ｓ２８０）、制御部の回転情報取得部は、ＲＦＩＤ読取部が原稿に付されたＦＲＩＤから読み取った回転情報を取得し（Ｓ２８１）、対応情報管理部の領域Ｘとページ番号ｍとに対応する「裏表」欄にＳ２８０で取得した裏表情報を記録し（Ｓ２８２）、対応情報管理部の領域Ｘとページ番号ｍとに対応する「回転」欄にＳ２８１で取得した回転情報を記録する（Ｓ２８３）。対応情報管理部に記録される領域Ｘとページ番号ｍと裏表情報と回転情報との対応は、例えば、図９および図１０に示すようなものとなる。
【００６９】
続いて、制御部は、画像読取部が読み取ったページイメージを画像メモリの領域Ｘに格納し（Ｓ２８４）、画像メモリの領域を示すＸの値を１だけインクリメントし（Ｓ２８５）、制御部は、反対面読取機構を作動させて現在の読取面の反対面（即ち、表面を反転させて裏面を読み取る状態にする、または裏面を反転させて表面を読み取る状態にする）を読み取り（Ｓ２８６）、制御部は、裏表情報を反転（即ち、表面から裏面または裏面から表面に変更）する（Ｓ２８７）。
【００７０】
続いて、対応情報管理部の領域Ｘとページ番号ｍとに対応する「裏表」欄にＳ２８７で反転した裏表情報を記録し（Ｓ２７５）、対応情報管理部の領域Ｘとページ番号ｍとに対応する「回転」欄にＳ２８１で取得した回転情報を記録する（Ｓ２７６）。対応情報管理部に記録される領域Ｘとページ番号ｍと裏表情報と回転情報との対応は、例えば、図９および図１０に示すようなものとなる。
【００７１】
続いて、制御部は、画像読取部が読み取ったページイメージを画像メモリの領域Ｘに格納し（Ｓ２７７）、画像メモリの領域を示すＸの値を１だけインクリメントし（Ｓ２７８）、入力ページカウンタｎの値を１だけインクリメントし（Ｓ２７９）、これらの処理は、読み取るべき原稿がある間、繰り返して行われる（Ｓ２６７でＹＥＳ）。
【００７２】
そして、全ての原稿の読み取りを終了すると（Ｓ２６７でＮＯ）、画像形成装置は、蓄積した画像データ（ページイメージ）の出力処理に移る。
【００７３】
画像データの出力処理では、制御部は、まず、最大ページ番号Ｍの値と入力ページカウンタｎの値を比較する。その結果、最大ページ番号Ｍの値の方が大きければ（図４のＳ２８８でＹＥＳ）、制御部は、ＵＩ部に警告とその後の処理の選択肢を表示する（Ｓ２８９）。最大ページ番号Ｍの値の方が大きい場合、原稿に（Ｍ−ｎ）に相当するページ数の抜けがあることが疑われるため、警告では、この旨を表示し、その後の処理の選択肢としては、「処理の継続」、「処理の中断」を提示する。
【００７４】
利用者により「処理の継続」が指示されるか（Ｓ２９０でＹＥＳ）、最大ページ番号Ｍの値と入力ページカウンタｎの値が一致した場合には（Ｓ２８８でＮＯ）、制御部は、出力ページカウンタＮの値を１に初期化する（Ｓ２２６）。続いて、制御部は、画像メモリの領域Ｎからページイメージを読み出して画像形成部へ出力する（Ｓ２２２７）。
【００７５】
そして、画像メモリに領域（Ｎ＋１）が存在すれば（Ｓ２２８でＹＥＳ）、出力ページカウンタＮの値を１だけインクリメントして（Ｓ２２９）、同様の処理を繰り返す。これらの処理は、画像メモリに格納されているページイメージを、その領域１から順に読み出して画像形成部へ出力するものである。そして、全てのページイメージを読み出したら、つまり、画像メモリに領域（Ｎ＋１）が存在しなければ（Ｓ２２８でＮＯ）、画像形成装置は、複写処理を終了する。
【００７６】
また、制御部がＵＩ部に警告と選択肢を表示した際に、利用者が「処理の中断」を指示した場合には（図３のＳ２３１でＮＯ、図６のＳ２５９でＮＯ、図４のＳ２９０でＮＯのいずれか）、制御部は、画像読取部に残りの原稿を排出させ（図８のＳ２９１）、画像メモリのページイメージを格納した領域をクリアして（Ｓ２９２）、複写処理を終了する。  次に、画像メモリ領域Ｘに対応するページ番号ｍと裏表情報と回転情報との対応情報管理部９への記録の手順について具体例を参照して説明する。
【００７７】
まず、下記に示すような原稿の束の複写処理を画像形成装置で行う。
【００７８】
１枚目：ページ番号１／片面印刷／表向き／天方向が装置の天方向と一致（回転なし）
２枚目：ページ番号５／片面印刷／表向き／天方向が装置の天方向と一致（回転なし）
３枚目：ページ番号３／片面印刷／裏向き／天方向が装置の天方向と一致（回転なし）
４枚目：ページ番号２／片面印刷／表向き／天方向が装置の天方向と一致（回転なし）
５枚目：ページ番号４／片面印刷／表向き／天方向が装置の天方向に対して１８０°（逆さま）
６枚目：ページ番号６／片面印刷／表向き／天方向が装置の天方向と一致（回転なし）
７枚目：ページ番号８／両面印刷／裏向き／天方向が装置の天方向と一致（回転なし）
８枚目：ページ番号７／両面印刷／表向き／天方向が装置の天方向に対して９０°（横倒し）
まず、１枚目の原稿はページ番号１／片面印刷／表向き／回転なしなので、図９（ａ）に示すように、対応情報管理部９にはページ番号「１」と読み取ったページイメージ（不図示）を対応付けて記録する。
【００７９】
続いて、２枚目の原稿はページ番号２であるため、ＵＩ部５に警告とその後の処理の選択肢が表示される。ここで、利用者はＵＩ部５に表示された選択肢から「自動ソートモードをＯＮにして処理を継続」を選択したものとする。そして、２枚目の原稿は片面印刷／表向き／回転なしなので、図９（ｂ）に示すように、対応情報管理部９にはページ番号「５」と裏表情報「表」と回転情報「０」と読み取ったページイメージ（不図示）を対応付けて記録する。なお、３枚目の原稿以降も必ず裏表情報と回転情報を対応情報管理部９に記録する。
【００８０】
続いて、３枚目の原稿は裏向きなので、反対面読取機構７を作動させて３枚目の原稿を反転させて、表面を読み取り、改めて裏表情報「表」を取得し、３枚目の原稿はページ番号３／片面印刷／表向き／回転なしなので、図９（ｃ）に示すように、対応情報管理部９にはページ番号「３」と裏表情報「表」と回転情報「０」と読み取ったページイメージ（不図示）を対応付けて記録する。
【００８１】
続いて、４枚目の原稿はページ番号２／片面印刷／表向き／回転なしなので、図９（ｄ）に示すように、対応情報管理部９にはページ番号「２」と裏表情報「表」と回転情報「０」と読み取ったページイメージ（不図示）を対応付けて記録する。
【００８２】
続いて、５枚目の原稿はページ番号４／片面印刷／表向き／天方向に対して１８０°回転なので、図９（ｅ）に示すように、対応情報管理部９にはページ番号「４」と裏表情報「表」と回転情報「１８０」と読み取ったページイメージ（不図示）を対応付けて記録する。
【００８３】
続いて、６枚目の原稿はページ番号６／片面印刷／表向き／回転なしなので、図１０（ａ）に示すように、対応情報管理部９にはページ番号「６」と裏表情報「表」と回転情報「０」と読み取ったページイメージ（不図示）を対応付けて記録する。
【００８４】
続いて、７枚目の原稿は両面印刷／裏向きなので、まず、７枚目の原稿の裏面を読み取り、読み取ったページイメージはページ番号８／回転なしなので、図１０（ｂ）に示すように、対応情報管理部９にはページ番号「８」と裏表情報「裏」と回転情報「０」と読み取ったページイメージ（不図示）を対応付けて記録する。
【００８５】
そして、反対面読取機構７を作動させて７枚目の原稿を反転させて、表面を読み取り、改めて裏表情報「表」を取得し、読み取ったページイメージはページ番号８／回転なしなので、図１０（ｃ）に示すように、対応情報管理部９にはページ番号「８」と裏表情報「表」と回転情報「０」と読み取ったページイメージ（不図示）を対応付けて記録する。
【００８６】
続いて、８枚目の原稿は両面印刷／天方向に対して９０°なので、まず、８枚目の原稿の表面を読み取り、読み取ったページイメージはページ番号７／表向きなので、図１０（ｄ）に示すように、対応情報管理部９にはページ番号「７」と裏表情報「表」と回転情報「９０」と読み取ったページイメージ（不図示）を対応付けて記録する。
【００８７】
そして、反対面読取機構７を作動させて８枚目の原稿を反転させて、裏面を読み取り、改めて裏表情報「裏」を取得し、読み取ったページイメージはページ番号８／表向き／天方向に対して９０°なので、図１０（ｅ）に示すように、対応情報管理部９にはページ番号「８」と裏表情報「裏」と回転情報「９０」と読み取ったページイメージ（不図示）を対応付けて記録する。
【００８８】
次に、原稿の裏表と用紙の方向を判定するための具体的な手段について説明する。
【００８９】
１つめの手段として、用紙の１箇所に１個のＲＦＩＤを埋め込む構成について説明する。
【００９０】
ＲＦＩＤ埋め込み用紙上において、ＲＦＩＤは用紙の四隅（左上／左下／右上／右下）のいずれか１箇所に埋め込まれているものとする。また、複写時に画像形成装置１にどの向きにこの用紙がセットされるかは決まっていないので、複写するその時までこの用紙のどちら側が表でどちらの方向が天方向であるかは決まっていない。画像形成装置１は用紙サイズのセンサによって用紙のサイズを判定することができ、ＲＦＩＤ読取部６は用紙の四隅に対応する位置にそれぞれ設置され、情報を読み込んだのがどのＲＦＩＤ読取部６かを確認することで、画像読取部２の内部における実際のＲＦＩＤの位置を検知することができる。
【００９１】
図１１（ａ）に示すように、１つめの手段では、ＲＦＩＤにページ番号とともに、
情報１：この用紙は、片面印刷か両面印刷かに関する情報
情報２：この用紙は、ポートレート印刷かランドスケープ印刷かに関する情報
情報３：自分（ＲＦＩＤ）は、この用紙の表面の何処（左上／左下／右上／右下）にいるかに関する情報
が記録されている。
【００９２】
そして、上記用紙が画像読取部２に到達すると、片面両面情報取得部１２はＲＦＩＤに記録された情報１を読み込みそのまま使用する。
【００９３】
続いて、裏表情報取得部１３と回転情報取得部１４はＲＦＩＤに記録された情報２を読み込み、用紙の天方向を２方向に絞り込む。例えば、ポートレート印刷の場合は用紙の天方向は用紙の搬送方向または用紙の逆搬送方向に絞ることができ、ランドスケープ印刷の場合は用紙の天方向は用紙の搬送方向に直交する２方向に絞ることができる。ここでは、情報２として「ポートレート印刷」を読み込んだと仮定する。
【００９４】
続いて、裏表情報取得部１３と回転情報取得部１４はＲＦＩＤに記録された情報３を読み込む。ここでは、情報３として「左上」を読み込んだと仮定する。
【００９５】
続いて、どの位置に設置されたＲＦＩＤ読取部６がＲＦＩＤの情報を読み込んだか確認することで、実際のＲＦＩＤの位置を検知する。ここで、実際のＲＦＩＤの位置が「左上」の場合、図１２（ａ）に示すように、この用紙の現状は表向きであり、用紙の天方向は用紙の搬送方向に一致することになる。従って、裏表情報は「表」、回転情報は「０」となる。
【００９６】
また、実際のＲＦＩＤの位置が「右下」の場合、図１２（ｂ）に示すように、この用紙の現状は表向きであり、用紙の天方向は用紙の逆搬送方向に一致し、即ち、１８０°回転していることになる。従って、裏表情報は「表」、回転情報は「１８０」となる。
【００９７】
また、実際のＲＦＩＤの位置が「右上」の場合、図１２（ｃ）に示すように、この用紙の現状は裏向きであり、用紙の天方向は用紙の搬送方向に一致することになる。従って、裏表情報は「裏」、回転情報は「０」となる。
【００９８】
また、実際のＲＦＩＤの位置が「左下」の場合、図１２（ｂ）に示すように、この用紙の現状は表向きであり、用紙の天方向は用紙の逆搬送方向に一致し、即ち、１８０°回転していることになる。従って、裏表情報は「裏」、回転情報は「１８０」となる。
【００９９】
２つめの手段として、用紙の１箇所に１個のＲＦＩＤを埋め込む構成について説明する。
【０１００】
ＲＦＩＤ埋め込み用紙上において、ＲＦＩＤは用紙の四隅（左上／左下／右上／右下）のいずれか１箇所に埋め込まれているものとする。また、複写時に画像形成装置１にどの向きにこの用紙がセットされるかは決まっていないので、複写するその時までこの用紙のどちら側が表でどちらの方向が天方向であるかは決まっていない。画像形成装置１は用紙サイズのセンサによって用紙のサイズを判定することができ、ＲＦＩＤ読取部６は用紙の四隅に対応する位置にそれぞれ設置され、情報を読み込んだのがどのＲＦＩＤ読取部６かを確認することで、画像読取部２の内部における実際のＲＦＩＤの位置を検知することができる。
【０１０１】
図１１（ｂ）に示すように、１つめの手段では、ＲＦＩＤにページ番号とともに、
情報１：この用紙は、片面印刷か両面印刷かに関する情報
情報２：この用紙の表面は、ポートレート印刷かランドスケープ印刷かに関する情報
情報３：自分（ＲＦＩＤ）は、この用紙の表面の何処（左上／左下／右上／右下）にいるかに関する情報
情報４：この用紙の裏面は、ポートレート印刷かランドスケープ印刷かに関する情報
情報５：自分（ＲＦＩＤ）は、この用紙の裏面の何処（左上／左下／右上／右下）にいるかに関する情報
が記録されている。
【０１０２】
そして、上記用紙が画像読取部２に到達すると、片面両面情報取得部１２はＲＦＩＤに記録された情報１を読み込みそのまま使用する。
【０１０３】
続いて、裏表情報取得部１３と回転情報取得部１４はＲＦＩＤに記録された情報２を読み込み、用紙の表面の天方向を２方向に絞り込む。例えば、ポートレート印刷の場合は用紙の天方向は用紙の搬送方向または用紙の逆搬送方向に絞ることができ、ランドスケープ印刷の場合は用紙の天方向は用紙の搬送方向に直交する２方向に絞ることができる。ここでは、情報２として「ポートレート印刷」を読み込んだと仮定する。
【０１０４】
続いて、裏表情報取得部１３と回転情報取得部１４はＲＦＩＤに記録された情報３を読み込む。ここでは、情報３として「表面の左上」を読み込んだと仮定する。
【０１０５】
続いて、裏表情報取得部１３と回転情報取得部１４はＲＦＩＤに記録された情報４を読み込み、用紙の裏面の天方向を２方向に絞り込む。例えば、ポートレート印刷の場合は用紙の天方向は用紙の搬送方向または用紙の逆搬送方向に絞ることができ、ランドスケープ印刷の場合は用紙の天方向は用紙の搬送方向に直交する２方向に絞ることができる。ここでは、情報４として「ポートレート印刷」を読み込んだと仮定する。
【０１０６】
続いて、裏表情報取得部１３と回転情報取得部１４はＲＦＩＤに記録された情報５を読み込む。ここでは、情報５として「裏面の右上」を読み込んだと仮定する。
【０１０７】
続いて、どの位置に設置されたＲＦＩＤ読取部６がＲＦＩＤの情報を読み込んだか確認することで、実際のＲＦＩＤの位置を検知する。ここで、実際のＲＦＩＤの位置が「左上」の場合、図１２（ａ）に示すように、この用紙の現状は表向きであり、用紙の天方向は用紙の搬送方向に一致することになる。従って、裏表情報は「表」、回転情報は「０」となる。
【０１０８】
また、実際のＲＦＩＤの位置が「右下」の場合、図１２（ｂ）に示すように、この用紙の現状は表向きであり、用紙の天方向は用紙の逆搬送方向に一致し、即ち、１８０°回転していることになる。従って、裏表情報は「表」、回転情報は「１８０」となる。
【０１０９】
また、実際のＲＦＩＤの位置が「右上」の場合、図１２（ｃ）に示すように、この用紙の現状は裏向きであり、用紙の天方向は用紙の搬送方向に一致することになる。従って、裏表情報は「裏」、回転情報は「０」となる。
【０１１０】
また、実際のＲＦＩＤの位置が「左下」の場合、図１２（ｂ）に示すように、この用紙の現状は表向きであり、用紙の天方向は用紙の逆搬送方向に一致し、即ち、１８０°回転していることになる。従って、裏表情報は「裏」、回転情報は「１８０」となる。
【０１１１】
１つめの手段では、両面印刷の場合、裏面の天方向の向きを表面と同様と擬制しているため、もし、表面の天方向と裏面の天方向とが異なる場合、１つめの手段では不都合が生じてしまうが、２つめの手段では、当該不都合が生じることはない。
【０１１２】
３つめの手段として、用紙の２箇所にそれぞれ１個のＲＦＩＤを埋め込む構成について説明する。
【０１１３】
ＲＦＩＤ埋め込み用紙上において、ＲＦＩＤは用紙の四隅（左上／左下／右上／右下）のいずれか２箇所に埋め込まれているものとする。また、複写時に画像形成装置にどの向きにこの用紙がセットされるかは決まっていないので、複写するその時までこの用紙のどちら側が表でどちらの方向が天方向であるかは決まっていない。画像形成装置１は用紙サイズのセンサによって用紙のサイズを判定することができ、ＲＦＩＤ読取部６は用紙の四隅に対応する位置にそれぞれ設置され、情報を読み込んだのがどのＲＦＩＤ読取部６かを確認することで、画像読取部２の内部における実際のＲＦＩＤの位置を検知することができる。
【０１１４】
図１３（ａ）に示すように、１つめの手段では、ＲＦＩＤにページ番号とともに、
情報１：この用紙は、片面印刷か両面印刷かに関する情報
情報３：自分（ＲＦＩＤ）は、この用紙の表面の何処（左上／左下／右上／右下）にいるかに関する情報
が記録されている。
【０１１５】
そして、上記用紙が画像読取部２に到達すると、片面両面情報取得部１２と裏表情報取得部１３と回転情報取得部１４は情報３を読み込む。情報３として、１つ目のＲＦＩＤ読取部が「左上」を読み込み、２つ目のＲＦＩＤ読取部６が「左下」を読み込んだとする。
【０１１６】
続いて、どの位置に設置されたＲＦＩＤ読取部６がＲＦＩＤの情報を読み込んだか確認することで、実際のＲＦＩＤの位置を検知する。ここで、「左上」と読み取ったＲＦＩＤ読取部６の実際の位置が「左上」であり、「左下」と読み取ったＲＦＩＤ読取部６の実際の位置が「左下」である場合、図１３（ｂ）に示すように、この用紙の現状は表向きであり、用紙の天方向は用紙の搬送方向に一致することになる。従って、裏表情報は「表」、回転情報は「０」となる。
【０１１７】
また、「左上」と読み取ったＲＦＩＤ読取部６の実際の位置が「右下」であり、「左下」と読み取ったＲＦＩＤ読取部６の実際の位置が「右上」である場合、図１３（ｃ）に示すように、この用紙の現状は表向きであり、用紙の天方向は用紙の逆搬送方向に一致し、即ち、１８０°回転していることになる。従って、裏表情報は「表」、回転情報は「１８０」となる。
【０１１８】
また、「左上」と読み取ったＲＦＩＤ読取部６の実際の位置が「右上」であり、「左下」と読み取ったＲＦＩＤ読取部６の実際の位置が「右下」である場合、図１３（ｄ）に示すように、この用紙の現状は裏向きであり、用紙の天方向は用紙の搬送方向に一致することになる。従って、裏表情報は「裏」、回転情報は「０」となる。
【０１１９】
また、「左上」と読み取ったＲＦＩＤ読取部６の実際の位置が「左下」であり、「左下」と読み取ったＲＦＩＤ読取部６の実際の位置が「左」である場合、図１３（ｅ）に示すように、この用紙の現状は表向きであり、用紙の天方向は用紙の逆搬送方向に一致し、即ち、１８０°回転していることになる。従って、裏表情報は「裏」、回転情報は「１８０」となる。
【０１２０】
３つめの手段では、用紙の形状が正方形の場合、１つめの手段および２つめの手段では天方向を確実に特定することが困難であるが、３つめの手段では、当該不都合が生じることはない。
【図面の簡単な説明】
【０１２１】
【図１】本発明に係る画像形成装置の機能的な概略構成を示した図である。
【図２】画像形成装置の複写処理の流れを示すフローチャートである。
【図３】画像形成装置の複写処理の流れを示すフローチャートである。
【図４】画像形成装置の複写処理の流れを示すフローチャートである。
【図５】画像形成装置の複写処理の流れを示すフローチャートである。
【図６】画像形成装置の複写処理の流れを示すフローチャートである。
【図７】画像形成装置の複写処理の流れを示すフローチャートである。
【図８】画像形成装置の複写処理の流れを示すフローチャートである。
【図９】対応情報管理部に記録される領域Ｘとページ番号ｍと裏表情報と回転情報との対応を示す図である。
【図１０】対応情報管理部に記録される領域Ｘとページ番号ｍと裏表情報と回転情報との対応を示す図である。
【図１１】原稿の裏表と用紙の方向を判定するための１つめの手段および２つめの手段について説明する。
【図１２】原稿の裏表と用紙の方向を判定するための１つめの手段および２つめの手段について説明する。
【図１３】原稿の裏表と用紙の方向を判定するための３つめの手段について説明する。
【符号の説明】
【０１２２】
１    画像形成装置
２    画像読取部
３    制御部
４    画像形成部
５    ＵＩ部
６    ＲＦＩＤ読取部
７    反対面読取部
８    ページ情報取得部
９    対応情報管理部
１０    画像メモリ
１１    ソート処理部
１２    片面両面情報取得部
１３    裏表情報取得部
１４    回転情報取得部
１５    画像回転処理部
【図１】
2008187238.tif 000003
【図２】
2008187238.tif 000004
【図３】
2008187238.tif 000005
【図４】
2008187238.tif 000006
【図５】
2008187238.tif 000007
【図６】
2008187238.tif 000008
【図７】
2008187238.tif 000009
【図８】
2008187238.tif 000010
【図９】
2008187238.tif 000011
【図１０】
2008187238.tif 000012
【図１１】
2008187238.tif 000013
【図１２】
2008187238.tif 000014
【図１３】
2008187238.tif 000015